(57)【特許請求の範囲】
【請求項１】
一方に開口部を有するように底板と該底板の周縁に設けられ、上部にフランジ部を有する周壁とからなる容器本体と、前記容器本体の開口部とほぼ同じ外形を有する蓋材とからなり、前記容器本体のフランジ部と前記蓋材とを剥離可能な熱接着部で密封した即席食品等を収納する容器において、前記蓋材には前記熱接着部の内縁近傍に始点と終点とを有し、前記始点から前記蓋材の略中心方向に延びて前記終点に戻る前記容器本体側から形成した略Ｕ字状裏ハーフカットと、前記始点と終点とから前記蓋材の周端縁に向かって互いに乖離するように延びる前記容器本体側から形成した案内用裏ハーフカットとからなる断面略漏斗状をした切欠部形成用ハーフカットと、前記切欠部形成用ハーフカットと相似形で前記切欠部形成用ハーフカットより大きく、かつ、前記切欠部形成用ハーフカットを包含するように表面側から形成した略Ｕ字状表ハーフカットと表面側から形成した案内用表ハーフカットとからなる断面略漏斗状をした化粧用ハーフカットとを一組とする湯切口形成用ハーフカットがｎ個順次隣接すると共に前記略Ｕ字状裏ハーフカットおよび前記略Ｕ字状表ハーフカットが互いに平行ないし前記蓋材の略中心方向に向かうに従って互いに接近するように形成され、隣接する前記湯切口形成用ハーフカットの向かい合う前記案内用裏ハーフカットと前記案内用表ハーフカットを横断すると共にその両端から前記横断した２つの案内用裏ハーフカットに平行に前記熱接着部の内縁側にそれぞれ延びる角括弧状切り込み線が前記熱接着部の内縁より前記蓋材の周端縁側に形成され、さらに前記ｎ個の湯切口形成用ハーフカットのいずれか一方の端部にある前記湯切口形成用ハーフカットの最端側の前記案内用裏ハーフカットと前記案内用表ハーフカットと、他方の端部にある前記湯切口形成用ハーフカットの最端側の前記案内用裏ハーフカットと前記案内用表ハーフカットとが前記蓋材の周端縁に達するように形成されると共に前記蓋材の周端縁に達した前記両案内用裏ハーフカットの両周端縁ないし前記両案内用裏ハーフカットの両周端縁近傍で前記角括弧状切り込み線が形成された側の両周端縁に前記両案内用裏ハーフカットと一致するないし前記両案内用裏ハーフカットと平行な切刃が形成され、かつ、前記蓋材の前記両周端縁に形成された前記切刃を付け根部として前記切欠部形成用ハーフカットおよび前記化粧用ハーフカットと対向する側に突出する第１摘まみ舌片が形成され、さらに、前記第１摘まみ舌片を形成した以外の前記蓋材の周端縁に該周端縁から突出する第２摘まみ舌片が設けられ、前記第１摘まみ舌片を前記熱接着部を乗り越えて剥離することにより、前記切刃と前記角括弧状切り込み線と前記湯切口形成用ハーフカットとが協働してｎ個の独立した湯切口を形成するように構成したことを特徴とする即席食品等の容器。
【請求項２】
前記切刃の前記蓋材の周端縁に前記切刃の一部を一辺とする略Ｖ字状の切欠が形成されていることを特徴とする請求項１記載の即席食品等の容器。
【請求項３】
前記切刃が前記両案内用裏ハーフカットと一辺が一致ないし前記両案内用裏ハーフカットと一辺が平行な略Ｖ字状の切欠からなることを特徴とする請求項１記載の即席食品等の容器。
【請求項４】
前記湯切口形成用ハーフカットが２ないし３個であることを特徴とする請求項１〜３のいずれかに記載の即席食品等の容器。
【発明の詳細な説明】
【０００１】
【発明の属する技術分野】
本発明は、食する時に熱湯を容器内に注湯して麺体を湯戻し、その後に残湯を排湯する形態の乾燥麺、生麺等の食品を収納した即席食品等の容器に関し、更に詳しくは、排湯操作を簡便、迅速に行うことができるようにした即席食品等の容器に関するものである。
【０００２】
【従来の技術】
従来の注湯排湯構造の即席食品等の容器、たとえば、即席食品として袋入り生麺、調味料、かやく類等が収納された容器は、まず容器本体からプラスチック蓋を外して、包装袋に収容された生麺、調味料、かやく類等を取り出すと共に、包装袋を開封して取り出した生麺とかやく類を容器本体に戻して熱湯を注湯すると共に、生麺をほぐして後に、再度蓋をして所定時間湯通しし、次に蓋に欠設された切欠を起こして通孔を確保して後、容器を傾けて湯を通孔から排出して湯切りを行い、再度蓋を外して湯通しした麺上に包装袋を開封して調味料を投入し、再度熱湯を注湯すると共に、充分に攪拌して後に、七味等の薬味を加えて食していた。このように、熱湯の注湯と排湯をして適食となる乾燥麺、生麺等の食品を収納した即席食品等の容器には、次のような問題があった。
【０００３】
すなわち、▲１▼容器本体に蓋を着脱する操作が面倒であるといった問題、▲２▼蓋に欠設された切欠を起こして通孔を確保する操作が結構手間であるといった問題、▲３▼蓋に欠設された切欠を起こして排湯のための通孔を確保する場合に湯切口の大きさにバラツキが生じるために湯切り時間や残湯量に差を生じるといった問題、▲４▼手指等で容器を保持して排湯せねばならないが、容器容量に対して湯通し（湯戻し）に必要な湯量が多いために、熱湯をこぼす虞があり細心の注意を払わねばならないといった問題や、こぼした時には軽い火傷を負うといった問題、さらには、▲５▼排湯時、容器を傾けて湯を通孔から排出せねばならないが、湯を含んだ相当な重量の麺が一方に偏在するので、容器本体から蓋が外れないように容器本体と蓋とを所定以上の力で押さえつけなければならないといった問題、また、時には湯通し（湯戻し）した麺を容器からこぼしてしまうといった問題等があり、これらの問題を解決する即席食品等の容器が要望されていた。
【０００４】
【発明が解決しようとする課題】
そこで本発明は、上記問題点に鑑みてなされたものであり、その目的とするところは、熱湯を注湯して麺体を湯戻して後に残湯を排湯する形態の乾燥麺、生麺等を収納する即席食品等の容器であって、排湯操作の手間がかからずに排湯操作を簡便、迅速、確実、安全に行うことができると共に、美麗な端面を有する湯切口を形成することができる即席食品等の容器を提供することにある。
【０００５】
【課題を解決するための手段】
本発明者は、上記目的を達成するために、請求項１記載の発明は、一方に開口部を有するように底板と該底板の周縁に設けられ、上部にフランジ部を有する周壁とからなる容器本体と、前記容器本体の開口部とほぼ同じ外形を有する蓋材とからなり、前記容器本体のフランジ部と前記蓋材とを剥離可能な熱接着部で密封した即席食品等を収納する容器において、前記蓋材には前記熱接着部の内縁近傍に始点と終点とを有し、前記始点から前記蓋材の略中心方向に延びて前記終点に戻る前記容器本体側から形成した略Ｕ字状裏ハーフカットと、前記始点と終点とから前記蓋材の周端縁に向かって互いに乖離するように延びる前記容器本体側から形成した案内用裏ハーフカットとからなる断面略漏斗状をした切欠部形成用ハーフカットと、前記切欠部形成用ハーフカットと相似形で前記切欠部形成用ハーフカットより大きく、かつ、前記切欠部形成用ハーフカットを包含するように表面側から形成した略Ｕ字状表ハーフカットと表面側から形成した案内用表ハーフカットとからなる断面略漏斗状をした化粧用ハーフカットとを一組とする湯切口形成用ハーフカットがｎ個順次隣接すると共に前記略Ｕ字状裏ハーフカットおよび前記略Ｕ字状表ハーフカットが互いに平行ないし前記蓋材の略中心方向に向かうに従って互いに接近するように形成され、隣接する前記湯切口形成用ハーフカットの向かい合う前記案内用裏ハーフカットと前記案内用表ハーフカットを横断すると共にその両端から前記横断した２つの案内用裏ハーフカットに平行に前記熱接着部の内縁側にそれぞれ延びる角括弧状切り込み線が前記熱接着部の内縁より前記蓋材の周端縁側に形成され、さらに前記ｎ個の湯切口形成用ハーフカットのいずれか一方の端部にある前記湯切口形成用ハーフカットの最端側の前記案内用裏ハーフカットと前記案内用表ハーフカットと、他方の端部にある前記湯切口形成用ハーフカットの最端側の前記案内用裏ハーフカットと前記案内用表ハーフカットとが前記蓋材の周端縁に達するように形成されると共に前記蓋材の周端縁に達した前記両案内用裏ハーフカットの両周端縁ないし前記両案内用裏ハーフカットの両周端縁近傍で前記角括弧状切り込み線が形成された側の両周端縁に前記両案内用裏ハーフカットと一致するないし前記両案内用裏ハーフカットと平行な切刃が形成され、かつ、前記蓋材の前記両周端縁に形成された前記切刃を付け根部として前記切欠部形成用ハーフカットおよび前記化粧用ハーフカットと対向する側に突出する第１摘まみ舌片が形成され、さらに、前記第１摘まみ舌片を形成した以外の前記蓋材の周端縁に該周端縁から突出する第２摘まみ舌片が設けられ、前記第１摘まみ舌片を前記熱接着部を乗り越えて剥離することにより、前記切刃と前記角括弧状切り込み線と前記湯切口形成用ハーフカットとが協働してｎ個の独立した湯切口を形成するように構成したことを特徴とするものである。
【０００６】
また、請求項２記載の発明は、請求項１記載の即席食品等の容器において、前記切刃の前記蓋材の周端縁に前記切刃の一部を一辺とする略Ｖ字状の切欠が形成されていることを特徴とするものである。
【０００７】
また、請求項３記載の発明は、請求項１記載の即席食品等の容器において、前記切刃が前記両案内用裏ハーフカットと一辺が一致ないし前記両案内用裏ハーフカットと一辺が平行な略Ｖ字状の切欠からなることを特徴とするものである。
【０００８】
以上のように構成することにより、第１摘まみ舌片を手指で摘んで捲り上げることにより、複数の湯切口を一動作で設けることができる。また、第１摘まみ舌片を摘んで捲り上げるだけで、誰でも同じ大きさの湯切口を容易、かつ、確実に得ることができ、従来のように蓋に欠設された切欠を起こして排湯のための通孔を確保する場合に生じた湯切口の大きさのバラツキによる湯切り時間や残湯量に差を生じることがなく、メーカーが狙った食味や食感を誰もが等しく得ることができる。また、湯切時には、湯切口と注湯口を設けた以外の箇所は容器本体と蓋材とが熱接着により接着されているために取扱が容易であり、従来のように注湯した熱湯をこぼすこともなく、また、容器本体と蓋材とを強い力で押さえる必要もなく、さらに湯切り時に湯戻しした麺をこぼすこともない。また、従来のプラスチック蓋に欠設された切欠と異なり、切欠部形成用ハーフカットと化粧用ハーフカットとが蓋材の容器本体側と表面側から互いに交わることのないように形成されているために塵埃等の異物が容器内に入ることがない。さらに、切欠部形成用ハーフカットと化粧用ハーフカットとからなる湯切口形成用ハーフカットを形成したことにより、美麗な端面を有する湯切口を確実、かつ、容易に得ることができる。
【０００９】
また、請求項４記載の発明は、請求項１〜３のいずれかに記載の即席食品等の容器において、前記湯切口形成用ハーフカットが２ないし３個であることを特徴とするものである。このように構成することにより、蓋材製造時の生産性や品質を良好なものとすることができると共に、麺の太さに左右されることなくスムーズな湯切りを達成することができる。
【００１０】
【発明の実施の形態】
上記の本発明について、具体的な実施形態を図面等を用いて以下に更に詳しく説明する。
図１は本発明の即席食品等の容器の一実施例を示す概略斜視図、図２は本発明の即席食品等の容器の第１実施形態を示す平面図、図３は本発明の即席食品等の容器の第２実施形態を示す要部平面図、図４は本発明の即席食品等の容器の第３実施形態を示す要部平面図、図５は本発明の蓋材の層構成図、図６は図２のＸ−Ｘ線の断面を示す湯切口形成用ハーフカットの説明図、図７は本発明の即席食品等の容器の使用状態を示す説明図であり、図中の１，１’，１''は即席食品等の容器、２は熱接着部、３は第１摘まみ舌片、４は第２摘まみ舌片、５は切刃、５’，５''は切欠、６，７は切欠部形成用ハーフカット、６’，７’は化粧用ハーフカット、６''，７''は湯切口形成用ハーフカット、９は角括弧状切り込み線、10，10’，10''は蓋材、20は容器本体、21はフランジ部、40は基材、50は熱接着性接着層、60，70は略Ｕ字状裏ハーフカット、60’，70’は略Ｕ字状表ハーフカット、61，62，71，72は案内用裏ハーフカット、61’，62’，71’，72’は案内用表ハーフカット、Ａ1 ，Ｂ1 は始点、Ａ2 ，Ｂ2 は終点、αは注湯口をそれぞれ示す。
【００１１】
図１は本発明にかかる即席食品等の容器の一実施例を示す概略斜視図であって、即席食品等の容器１は、一方に円形状の開口部を有する丼状の容器本体20と、該容器本体20の開口部とほぼ同じ外形を有する蓋材10とからなり、前記容器本体20の開口縁部に設けられたフランジ部21と前記蓋材10とを剥離可能な熱接着部２で密封した構成からなり、さらに、前記蓋材10にはその一つの端縁から外方に突出する第１摘まみ舌片３が形成されると共に、前記第１摘まみ舌片３と略対向する位置に第２摘まみ舌片４が形成されている。
【００１２】
図２は本発明にかかる即席食品等の容器の第１実施形態を示す平面図、すなわち、図１に示す即席食品等の容器を蓋材側から見た図であって、即席食品等の容器１の前記蓋材10には、前記熱接着部２内に始点Ａ1 と終点Ａ2 とを有し、前記始点Ａ1 から前記蓋材10の略中心方向に延びて前記終点Ａ2 に戻る前記容器本体20側から形成した略Ｕ字状裏ハーフカット60と、前記始点Ａ1 と前記終点Ａ2 とから前記蓋材10の周端縁に向かって互いに乖離するように延びる前記容器本体20側から形成した案内用裏ハーフカット61、62とからなる断面略漏斗状をした切欠部形成用ハーフカット６と、前記切欠部形成用ハーフカット６と相似形で前記切欠部形成用ハーフカット６より大きく、前記切欠部形成用ハーフカット６を包含するように表面側から形成した略Ｕ字状裏ハーフカット60’と同じく表面側から形成した案内用裏ハーフカット61’、62’とからなる断面略漏斗状をした化粧用ハーフカット６’とを一組とする湯切口形成用ハーフカット６''が形成されると共に、この湯切口形成用ハーフカット６''に隣接して前記熱接着部２内に始点Ｂ1 と終点Ｂ2 とを有し、前記始点Ｂ1 から前記蓋材10の略中心方向に延びて前記終点Ｂ2 に戻る前記容器本体20側から形成した略Ｕ字状裏ハーフカット70と、前記始点Ｂ1 と前記終点Ｂ2 とから前記蓋材10の周端縁に向かって互いに乖離するように延びる前記容器本体20側から形成した案内用裏ハーフカット71、72とからなる断面略漏斗状をした切欠部形成用ハーフカット７と、前記切欠部形成用ハーフカット７と相似形で前記切欠部形成用ハーフカット７より大きく、前記切欠部形成用ハーフカット７を包含するように表面側から形成した略Ｕ字状裏ハーフカット70’と同じく表面側から形成した案内用裏ハーフカット71’、72’とからなる断面略漏斗状をした化粧用ハーフカット７’とを一組とする湯切口形成用ハーフカット７''が形成され、
かつ、前記湯切口形成用ハーフカット６''と７''とは前記蓋材10の略中心方向に向かうに従って互いに接近するように形成され、さらに前記湯切口形成用ハーフカット６''と７''の向かい合う前記案内用裏ハーフカット62と71、および、前記案内用表ハーフカット62’と71’を横断すると共にその両端から前記横断した案内用裏ハーフカット62と71にそれぞれ平行に前記熱接着部２の内縁側に延びる角括弧状切り込み線９が前記熱接着部２の内縁より前記蓋材10の周端縁側に形成され、かつ、前記湯切口形成用ハーフカット６''の前記案内用表ハーフカット61’と前記案内用裏ハーフカット61と、前記湯切口形成用ハーフカット７''の前記案内用表ハーフカット72’と前記案内用裏ハーフカット72とが前記蓋材10の周端縁に達するように形成され、さらに前記案内用裏ハーフカット61と72で挟まれた前記蓋材10の周端縁から外方に前記熱接着部２に対して前記湯切口形成用ハーフカット６''、７''と対向するように第１摘まみ舌片３が突出して形成されると共に前記第１摘まみ舌片３と略対向する位置に第２摘まみ舌片４が形成されている。さらにまた、前記第１摘まみ舌片３の両付け根部ないし前記第１摘まみ舌片３の両付け根部と前記案内用ハーフカット61、72の間の前記蓋材10の周端縁には前記案内用裏ハーフカット61、72に平行な切刃５、５が形成されている。このように構成することにより、前記第１摘まみ舌片３を前記熱接着部２を乗り越えて剥離することにより、前記切刃５、５と、前記角括弧状切り込み線９と、前記湯切口形成用ハーフカット６''、７''とが協働して前記蓋材10に略Ｕ字状の２つの湯切口を形成することができる。
【００１３】
ところで、前記切刃５、５は前記案内用裏ハーフカット61、72と一致するように、かつ、前記熱接着部２の内縁を越えないように形成するのが最良であるが、前記切刃５、５と前記案内用裏ハーフカット61、72との位置合わせは生産性を落とす危険性があり、上記のように形成する方が好ましい。このように前記切刃５、５を形成する場合には、前記切刃５、５の長さは、前記案内用裏ハーフカット61、72の長さより短く設定し、前記第１摘まみ舌片３を前記熱接着部２を乗り越えて剥離した際に前記切刃５、５の先端の剥離方向線上に前記案内用裏ハーフカット61、72が存在するような長さに設定する必要がある。また、前記角括弧状切り込み線９の前記案内用裏ハーフカット62、71に平行に形成された先端も前記切刃５、５の先端と同様であって、前記第１摘まみ舌片３を前記熱接着部２を乗り越えて剥離した際に前記角括弧状切り込み線９の先端の剥離方向線上に前記案内用裏ハーフカット62、71が存在するような長さに設定する必要がある。なお、図２において、始点Ａ1 、Ｂ1 と終点Ａ2 、Ｂ2 を・印で示したが、説明の便宜上で示したものであり、本発明の即席食品等の容器には存在しないものである。これ以後に説明する図においても上記と同様である。
【００１４】
次に、本発明の即席食品等の容器の使用方法について、即席食品が即席生麺（うどん）の場合を例に挙げて、図２に示す本発明の第１実施形態の即席食品等の容器を用いて説明する（生麺等の内容物は図示せず）。まず、図１に示す本発明の即席食品等の容器１の蓋材10に設けられた第２摘まみ舌片４を手指で摘んで捲り上げて、容器本体20から約１／２程度まで前記蓋材10を剥離して、容器１内に収納された袋入り生麺、調味料、かやく類等を取り出すと共に注湯口αを設け〔図７（ａ）参照〕、次に袋を開封して取り出した生麺とかやく類等を容器本体に戻して前記注湯口αから内部に所要量熱湯を注湯すると共に、生麺をほぐして後に、前記蓋材10の前記剥離した部分を再度容器に被せ（図１に示すような状態）、この状態で所要時間調理して後に（湯通しして後に）、次に前記蓋材10に設けられた第１摘まみ舌片３を手指で摘んで捲り上げると、前記切刃５、５と前記角括弧状切り込み部９の四箇所の先端から前記蓋材10が切断し、この切断がそれぞれ前記案内用裏ハーフカット61、62、71、72に達すると前記案内用裏ハーフカット61、62、71、72に沿って切断が進む一方、前記案内用表ハーフカット61’、62’、71’、72’にも切断が進み、その後は前記案内用ハーフカット61、62、71、72、および、前記案内用表ハーフカット61’、62’、71’、72’にそれぞれ連接して形成した前記略Ｕ字状裏ハーフカット60、70、および、前記略Ｕ字状表ハーフカット60’、70’に沿って切断されて、最終的には前記略Ｕ字状裏ハーフカット60、70形状の湯切口が前記蓋材10に二つ形成され、この湯切口を下側となるように容器１を傾けて、この湯切口から容器１内の残湯を図７（ｂ）に示すように排出し（容器１の保持手段は図示せず）、その後、容器本体20から蓋材10を全部捲り取って容器開口部を露出させ、湯通しした麺上に包装袋を開封して調味料を投入し、再度熱湯を所要量注湯すると共に、十分に攪拌して後に、七味等の薬味を加えて喫食する。このように、残湯を排出する湯切口が容器１の蓋材10に設けられた前記略Ｕ字状裏ハーフカット60、70の形状に形成されているために、従来技術の項で説明した▲１▼、▲２▼、▲３▼、▲４▼、▲５▼の問題が生じることはない。
【００１５】
また、このように湯切口を設けるために蓋材10に切欠部形成用ハーフカット６（あるいは、７）と化粧用ハーフカット６’（あるいは、７’）とからなる湯切口形成用ハーフカット６''（あるいは、７''）を形成することにより、美麗な端面を有する湯切口を容易、かつ、確実に形成することができる。なお、説明を省略したが、本発明の即席食品等の容器１は、通常は、容器１を使用する時まで、容器１に塵埃等の異物が付着しないように、また、改鼠防止を目的として容器１全体が熱収縮フィルム等で被覆されて保護されている。
【００１６】
図３は本発明にかかる即席食品等の容器の第２実施形態を示す要部平面図であって、即席食品等の容器１’は、図２に示した第１の実施形態の容器１の蓋材10に形成した前記切刃５、５にかえて前記切刃５、５を形成した箇所に前記案内用裏ハーフカット61、72と一辺が平行な略Ｖ字状の切欠５’、５’を形成した蓋材10’であって、これ以外は第１の実施形態の容器１の蓋材10と同じであり説明は省略するが、当然、前記切欠５’、５’の先端は、前記第１摘まみ舌片３を前記熱接着部２を乗り越えて剥離した際に剥離方向線上に前記案内用裏ハーフカット61、72が存在するように構成されている。また、前記切欠５’、５’は、前記切刃５、５と同様にその前記案内用裏ハーフカット61、72と平行な一辺が前記案内用ハーフカット61、72と一致するのが最良であるが、生産性を落とす危険性があり図３に示すように形成する方が好ましい。
【００１７】
図４は本発明にかかる即席食品等の容器の第３実施形態を示す要部平面図であって、即席食品等の容器１''は、図２に示した第１の実施形態の容器１の蓋材10に形成した前記切刃５、５の一部に前記切刃５、５を一辺とする略Ｖ字状の切欠５''、５''を形成した蓋材10''であって、これ以外は第１の実施形態の容器１の蓋材10と同じであり説明は省略するが、当然、前記切欠５、５の先端は、前記第１摘まみ舌片３を前記熱接着部２を乗り越えて剥離した際に剥離方向線上に前記案内用裏ハーフカット61、72が存在するように構成されている。図３、図４に示した第２、第３の実施形態の容器１’１''についても、使用方法は第１の実施形態の容器１と同じであり説明は省略する。
【００１８】
このような容器１に用いる容器本体20の構成としては、ポリスチレンペーパー、ハイインパクトポリスチレンシート、ポリプロピレンシート、ポリアミドとポリエチレンないしポリプロピレンとの積層シート、ポリエチレンとポリプロピレンとの積層シート等を周知の真空成形法や圧空成形法で成形して容器としたもの、ポリプロピレン、ポリスチレン等の射出成形用樹脂を射出成形して容器としたもの、あるいは、発泡スチレン製容器、紙製容器、あるいは、これらからなる二重容器などの熱湯により調理する即席食品用容器として用いられている周知のものを挙げることができる。
【００１９】
また、前記蓋材10、10’、10''としては、図５に示すように、基材40の一方の面に熱接着性接着層50を設けた構成からなる積層材であって、前記基材40としては、紙、アルミニウム等の金属箔、あるいは、ポリプロピレン等のオレフィン系樹脂やポリエステル、ポリアミド等の合成樹脂製シート（合成紙を含む）の単体ないしこれらの組み合わせによる積層体を挙げることができる。また、前記熱接着性接着層50としては、ポリエチレン、ポリプロピレン、エチレン−プロピレン共重合体、エチレン−酢酸ビニル共重合体、アイオノマー樹脂、塩化ビニル−酢酸ビニル共重合体、アクリル酸樹脂、メタクリル酸樹脂、エチレン−アクリル酸共重合体、エチレン−メタクリル酸共重合体、エチレン−アクリル酸エステル共重合体、エチレン−メタクリル酸エステル共重合体、ポリエステル樹脂等の単体ないし複合体を挙げることができる。これらの樹脂は、容器本体の構成に応じて、易開封性となるものを適宜選択して用いればよい。また、基材40には、通常印刷層が設けられている。
【００２０】
また、図６に示すように、前記蓋材10、10’、10''に設ける案内用裏ハーフカット61、62、71、72や略Ｕ字状裏ハーフカット60、70からなる切欠部形成用ハーフカット６、７は、前記熱接着性接着層50側から前記基材40の他方の面側の最表層の一部を少なくとも残すように、また、前記蓋材10、10’、10''に設ける案内用表ハーフカット61’、62’、71’、72’や略Ｕ字状表ハーフカット60’、70’からなる化粧用ハーフカット６’、７’は、前記基材40側から前記熱接着性接着層50の一部を少なくとも残すように設けられており、従来のプラスチック蓋からなる即席食品等の容器のように蓋の表面に欠設された切欠がないので見栄えもよく、また、容器内は密封された状態であり、埃やゴミなどが容器内に入る虞もなく、極めて衛生的である。また、角括弧状切り込み線９についても前記熱接着部２の内縁より外側に形成されているので上記同様である。
【００２１】
また、今までは、湯切口を二つ設ける場合について説明してきたが、略Ｕ字状の湯切口を三つ設ける場合についても角括弧状切り込み線９が一つ追加して設けられる以外は同様に設けることができるので説明は省略する。
【００２２】
【発明の効果】
本発明は、今まで縷々説明したように、注湯排湯して適食となる乾燥麺、生麺等を収納する即席食品等の容器であって、排湯時に清潔感のある美麗な端面を有する湯切口を形成することができると共に排湯操作の手間がかからずに簡便、迅速に、かつ、確実、安全に行うことができるという効果を奏するものである。また、湯切り時間や残湯量に個人差がなく、良好な食味や食感を一様に得ることができるという効果を奏するものである。
【図面の簡単な説明】
【図１】本発明の即席食品等の容器の一実施例を示す概略斜視図である。
【図２】本発明の即席食品等の容器の第１実施形態を示す平面図である。
【図３】本発明の即席食品等の容器の第２実施形態を示す要部平面図である。
【図４】本発明の即席食品等の容器の第３実施形態を示す要部平面図である。
【図５】本発明の蓋材の層構成図である。
【図６】図２のＸ−Ｘ線の断面を示す湯切口形成用ハーフカットの説明図である。
【図７】本発明の即席食品等の容器の使用状態を示す説明図である。
【符号の説明】
１，１’，１''              即席食品等の容器
２                          熱接着部
３                          第１摘まみ舌片
４                          第２摘まみ舌片
５                          切刃
５’，５''                  切欠
６，７                      切欠部形成用ハーフカット
６’，７’                  化粧用ハーフカット
６''，７''                  湯切口形成用ハーフカット
９                          角括弧状切り込み線
10，10’，10''              蓋材
20                          容器本体
21                          フランジ部
40                          基材
50                          熱接着性接着層
60，70                      略Ｕ字状裏ハーフカット
60’，70’                  略Ｕ字状表ハーフカット
61，62，71，72              案内用裏ハーフカット
61’，62’，71’，72’      案内用表ハーフカット
Ａ1 ，Ｂ1                   始点
Ａ2 ，Ｂ2                   終点
α                          注湯口
【図１】
0004179712.tif 000002
【図２】
0004179712.tif 000003
【図３】
0004179712.tif 000004
【図４】
0004179712.tif 000005
【図５】
0004179712.tif 000006
【図６】
0004179712.tif 000007
【図７】
0004179712.tif 000008